(57)【要約】      （修正有）【課題】旗布の表面に備わる表示掲載部などの外観を損なうことなく、しかも安価に製造できるのぼり旗を提供する。【解決手段】表面に表示掲載部が備えられた旗布２と、この旗布の四方周辺部の少なくとも一辺に取り付けられる複数の乳輪３とから成るのぼり旗において、旗布の四方周辺部における側辺の1つと上辺の乳輪取り付け辺には、乳輪と同一色の乳輪取り付けライン部５がその取り付け辺全長にわたって設けられた。【選択図】図１
2007108387.tif 000002
【特許請求の範囲】
【請求項１】
表面に表示掲載部が備えられた旗布と、この旗布の四方周辺部の少なくとも一辺に取り付けられる複数の乳輪とから成るのぼり旗において、旗布の四方周辺部における少なくとも一辺の乳輪取り付け辺には、乳輪と同一色の乳輪取り付けライン部がその取り付け辺全長にわたって設けられていることを特徴とするのぼり旗。
【請求項２】
乳輪取り付けライン部が旗布の四方周辺部における側辺の1つと上辺に設けられていることを特徴とする請求項１に記載ののぼり旗。
【請求項３】
乳輪取り付けライン部が旗布の四方周辺部における全周辺に設けられていることを特徴とする請求項１に記載ののぼり旗。
【発明の詳細な説明】
【技術分野】
【０００１】
本発明は、主として街頭での広告等に用いられるのぼり旗に関する。
【背景技術】
【０００２】
一般にのぼり旗は、図６に示すように、布地から形成された縦長の旗布Ａの表面全域には、広告などの各種表示部Ｂが印刷されると共に、旗布Ａの一方の側辺Ｌ１と上辺Ｌ２部分には、旗布Ａをポールに装着するための乳輪Ｃが所定間隔毎に複数逢着されている。（特許文献１参照）
ところで、のぼり旗は、通常、宣伝広告や案内等に用いられるものであることから、旗布Ａの表示部Ｂに表示される文字や図形など、看者に明確に視認される必要がある。
【０００３】
しかしながら、従来ののぼり旗に用いられる乳輪Ｃは、通常、透視性を備えていない白色の布地から形成されたものであって、図６に示すように、この白い乳輪Ｃが、旗布Ａの一方の側辺Ｌ１と上辺Ｌ２部分において例えば赤色などに印刷された表示部Ｂ上に縫い付けられることから、場合によっては、表示部Ｂの文字や模様の一部が乳輪Ｃの逢着部分で隠れてしまうし、またこの乳輪Ｃの逢着部分の外観も悪くなるなどの不具合がある。
【０００４】
以上の不具合に対しては、近年、透明の合成樹脂製フィルムから形成した乳輪を用い、旗布における乳輪の逢着部位が目立たないようにしたのぼり旗も開発されている。（特許文献２参照）
しかしながら、合成樹脂製フィルムから形成した乳輪は、製造コストが高いことから、のぼり旗全体の製造コストもそれにつれて高くなる不具合がある。
【０００５】
しかも合成樹脂製フィルムの乳輪Ｃにあっては、旗布Ａに縫い付けるのが困難であり、通常は接着剤で接着するしかないのであるが、接着剤による乳輪Ｃの旗布Ａへの取り付けは弱く、場合によっては、乳輪Ｃが旗布Ａから不用意に離脱するなどの不具合も考えられる。
【特許文献１】特開２００１−１８８４９２号
【特許文献２】特開２００４−４２９５号
【発明の開示】
【発明が解決しようとする課題】
【０００６】
本発明は、以上の実情に鑑みて開発したものであって、目的とするところは、旗布の表面に備わる表示掲載部などの外観及び視認性を損なうことなく、しかも安価に製造できるのぼり旗を提供することにある。
【課題を解決するための手段】
【０００７】
以上の目的を達成するために、請求項１に記載の発明は、表面に表示掲載部が備えられた旗布と、この旗布の四方周辺部の少なくとも一辺に取り付けられる複数の乳輪とから成るのぼり旗において、旗布の四方周辺部における少なくとも一辺の乳輪取り付け辺には、乳輪と同一色の乳輪取り付けライン部がその取り付け辺全長にわたって設けられていることを特徴とするものである。
【０００８】
また請求項２に記載の発明は、請求項１に記載の発明において、乳輪取り付けライン部が旗布の四方周辺部における側辺の1つと上辺に設けられていることを特徴とする。
【０００９】
また請求項３に記載の発明は、請求項１に記載の発明において、乳輪取り付けライン部が旗布の四方周辺部における全周辺に設けられていることを特徴とする。
【発明の効果】
【００１０】
請求項１または２に記載の発明によれば、表示掲載部が乳輪により部分的に隠れるようなことがないので、表示掲載部に掲載される宣伝広告や案内を看者が明確に視認することが出来、しかも乳輪３が、旗布２における乳輪取り付けライン部上に逢着されるので、旗布と乳輪との逢着部分の外観も良好となり、従って、全体としてのぼり旗を、その外観が損なわれることなくしかも安価に提供することが出来るに至ったのである。
【００１１】
また請求項３に記載の発明によれば、請求項１または２に記載の発明の効果に加え、顧客の注文に応じた仕様ののぼり旗を容易に作成することが出来る。
【発明を実施するための最良の形態】
【００１２】
以下、本発明にかかるのぼり旗の実施形態を図面を参照しながら説明する。
【００１３】
図１は、本発明にかかるのぼり旗の一実施形態を示す正面図、図２は、同、のぼり旗の背面図、図３は、そののぼり旗をポールに取り付けた状態を示す説明図であって、図中、符号１で示すのぼり旗は、縦長とした旗布２と、帯状部材から成る８個の乳輪３とから構成されている。
【００１４】
旗布２は、漂白により白色にされたテトロンポンジの生地からなり、その表面には、各種広告を掲載するための表示掲載部４が印刷される。
【００１５】
乳輪３は、短冊状に形成された白色の布片から構成され、その長さ方向両端部を重ね合わせ、その重ね合わせ部分を旗布２に縫い糸で逢着するようにしている。
【００１６】
そして、以上の構成から成るのぼり旗１において、本発明は、旗布２の四方周辺部における少なくとも一辺の乳輪取り付け辺には、乳輪３と同一色の乳輪取り付けライン部５がその取り付け辺全長にわたって設けられたのである。
【００１７】
即ち、図１〜図３に示す実施形態では、旗布２の正面から見た右側の一側辺Ｌ１と上辺Ｌ２に、乳輪３と同一色である白色の乳輪取り付けライン部５がその取り付け辺、換言すれば右側の一側辺Ｌ１と上辺Ｌ２の全長にわたって設けられ、旗布２の表面おける白地の乳輪取り付けライン部５を除く部分が表示掲載部４となっている。
【００１８】
また乳輪取り付けライン部５の幅Ｔは、３．５ｃｍ〜４．０ｃｍとしている。
【００１９】
そして、この乳輪取り付けライン部５には、乳輪３の長さ方向両端部を旗布２を挟んで重ね合わせて、乳輪３の長さ方向両端部と旗布２とを縫い糸で逢着しているのであって、具体的には、右側の一側辺Ｌ１に設けられた乳輪取り付けライン部５には５つの乳輪３が、また上辺Ｌ２に設けられた乳輪取り付けライン部５には３つの乳輪３がそれぞれ所定間隔を開けて逢着され、上辺Ｌ２側の乳輪３は、一側辺Ｌ１側の乳輪１３ａに対して直角を成す向きとなっている。
【００２０】
尚、図中６は、以上ののぼり旗１を立てるためのポールであって、このポール６は、ベース部材６１に立設する二段伸縮式の支柱６２と、この支柱６２の上端部に直交状に組み付ける枝杆６３とから構成されている。
【００２１】
以上の構成から成るのぼり旗１は、図３に示すように、旗布２の一側辺Ｌ１に設けられた乳輪３をポール６の支柱６２に通すと共に、旗布２の上辺Ｌ２に設けられた乳輪３をポール６の枝杆６３に通すことで、ポール６に取り付けて用いるのである。
【００２２】
斯くして、以上ののぼり旗１では、表示掲載部Ｂが従来のように乳輪３で部分的に隠れるようなことがないので、表示掲載部４に掲載される宣伝広告や案内が、看者に明確に視認されるし、しかも白色の布地から形成された乳輪３が、旗布２における白地の乳輪取り付けライン部上に逢着されるので、旗布２と乳輪３との逢着部分の外観も良好となり、
全体として、のぼり旗を、その外観が損なわれることなくしかも安価に提供することが出来るに至ったのである。
【００２３】
以上の実施形態では、旗布２の正面から見た右側の一側辺Ｌ１と上辺Ｌ２に乳輪取り付けライン部５を設けて、この乳輪取り付けライン部５に乳輪３を逢着したが、これに限定されるものではなく、例えば図４または図５に示すようにしてもよい。
【００２４】
即ち、図４に示すのぼり旗１は、旗布２の正面から見た右側の一側辺Ｌ１にのみ白地の乳輪取り付けライン部５を設けて、旗布２の表面おける乳輪取り付けライン部５を除く部分を表示掲載部４とすると共に、乳輪取り付けライン部５に白色の布片から構成された乳輪３を逢着し、上辺Ｌ２側には、透明の合成樹脂製フィルムから形成した乳輪３０を取り付けたものである。
【００２５】
また図５に示すのぼり旗１は、旗布２の四方全周辺に白地の乳輪取り付けライン部５を設けて、旗布２の表面おける白地の乳輪取り付けライン部５を除く部分を表示掲載部４とし、上辺Ｌ２側の乳輪取り付けライン部５に白色の布片から構成された乳輪３を逢着すると共に、旗の仕様によって、例えば、２点鎖線で示すように、旗布２の正面から見た右側の一側辺Ｌ１の乳輪取り付けライン部５、若しくは、実線で示すように、旗布２の正面から見た左側の他側辺Ｌ３の乳輪取り付けライン部５に白色の布片から構成された乳輪３を選択的に逢着するようにしてもよい。
【図面の簡単な説明】
【００２６】
【図１】本発明にかかるのぼり旗の一実施形態を示す正面図。
【図２】同、背面図。
【図３】図１に示すのぼり旗をポールに取り付けた状態を示す説明図。
【図４】本発明にかかるのぼり旗の別の実施形態を示す正面図。
【図５】本発明にかかるのぼり旗の別の実施形態を示す正面図。
【図６】従来ののぼり旗の一例を示す正面図。
【符号の説明】
【００２７】
１      のぼり旗
２      旗布
３      乳輪
４      表示掲載部
５      乳輪取り付けライン部
６      ポール
【図１】
2007108387.tif 000003
【図２】
2007108387.tif 000004
【図３】
2007108387.tif 000005
【図４】
2007108387.tif 000006
【図５】
2007108387.tif 000007
【図６】
2007108387.tif 000008